(57)【要約】【課題】天板に形成された配線用開口に取り付けられる配線カバー装置において、取り付け状態での見栄えを向上させる。【解決手段】配線用開口１０７に嵌る枠体２の開口部を開閉可能に覆う蓋体３と、蓋体３を閉蓋状態から開き回動させつつ枠体２内に収容して開蓋状態にするように支持する案内支持手段４とを備える。閉蓋状態では、蓋体３の長手一端部が枠体２開口部における上開口縁６の長手一側縁６ａ，６ｂに上方から被さるようにする。案内支持手段４は、蓋体２の短手側部を上下回動可能に支持する回動アーム杆２１と、その先端回動軸部２２を配線用開口１０７の短手方向に沿って斜め上向きに案内するガイド溝穴２３とを備える。閉蓋状態のときは先端回動軸部２２がガイド溝穴２３の下端側に位置し、蓋体３の開き回動に伴って先端回動軸部２２がガイド溝穴２３の上端側に移行するように設定する。【選択図】図５
2014121650.tif 000002
【特許請求の範囲】
【請求項１】
天板に形成された配線用開口を開閉可能に覆う蓋体と、前記蓋体を閉蓋状態から開き回動させつつ前記配線用開口内に収容して開蓋状態にするように支持する案内支持手段とを備えており、
前記閉蓋状態のときは、前記蓋体と前記配線用開口の上開口縁とが平面視で一部重なるように構成されている、
配線カバー装置。
【発明の詳細な説明】
【技術分野】
【０００１】
本願発明は、テーブルや机といった家具の天板に形成された配線用開口を開閉可能に覆うための配線カバー装置に関するものである。
【背景技術】
【０００２】
この種の配線カバー装置として、本願出願人は過去に、テーブルにおける天板の中央部に形成された配線用開口に、一対の蓋体を観音開き式に跳ね上げ回動可能に取り付ける一方、開蓋状態では各蓋体を配線用開口内に落ち込むようにスライド可能に構成することを、特許文献１において開示した。
【０００３】
かかる構成によると、着脱式のものとは異なり、各蓋体を配線用開口から取り外す必要がないため、各蓋体をなくすおそれがないばかりか、開蓋状態では各蓋体が配線用開口内に収容されるので、配線を通したり天板上に物を置いたりする際でも、各蓋体の存在が邪魔にならないという利点がある。
【先行技術文献】
【特許文献】
【０００４】
【特許文献１】特開２００３−２３５６４９号公報（図８〜図１２参照）
【発明の概要】
【発明が解決しようとする課題】
【０００５】
しかし、前記従来の構成では、閉蓋状態にある蓋体の回動中心側の側縁部と、これに対峙する配線用開口の長手開口縁との間に、蓋体の回動を許容するための微小隙間が空いているため、この付近においては、蓋体の回動中心側の側縁部、微小隙間、及び配線用開口の長手開口縁が露出して、複数の長い線状模様を呈することになる。このような線状模様が複数現れたのでは外観上見栄えがよくないという点において、前記従来の構成は未だ改善の余地があった。
【０００６】
本願発明は、このような現状を改善することを主たる課題とするものである。
【課題を解決するための手段】
【０００７】
請求項１の発明に係る配線カバー装置は、天板に形成された配線用開口を開閉可能に覆う蓋体と、前記蓋体を閉蓋状態から開き回動させつつ前記配線用開口内に収容して開蓋状態にするように支持する案内支持手段とを備えており、前記閉蓋状態のときは、前記蓋体と前記配線用開口の上開口縁とが平面視で一部重なるように構成されているというものである。
【０００８】
請求項２の発明は、請求項１に記載した配線カバー装置において、前記配線用開口及び前記蓋体は平面視矩形状に形成されており、前記閉蓋状態のときは、前記蓋体の長手一端部が前記配線用開口における前記上開口縁の長手一側縁に上方から被さっており、前記案内支持手段は、前記蓋体の短手側部を上下回動可能に支持する回動アーム杆と、前記回動アーム杆の先端回動軸部を前記配線用開口の短手方向に沿って斜め上向きに案内するためのガイド部材とを備えており、前記閉蓋状態のときは前記先端回動軸部が前記ガイド部材の下端側に位置し、前記蓋体の開き回動に伴って前記先端回動軸部が前記ガイド部材の上端側に移行するように設定されているというものである。
【０００９】
請求項３の発明は、請求項２に記載した配線カバー装置において、前記案内支持手段は、前記先端回動軸部が前記ガイド部材の上端側に移行するときに、側面視で前記蓋体が前記ガイド部材の下端側に向けて落ち込むように前記蓋体の回動方向を規制するための規制部材を備えているというものである。
【００１０】
請求項４の発明は、請求項１〜３に記載した配線カバー装置において、前記蓋体における開閉動の初期には前記案内支持手段に移動力を補填し、前記開閉動の終期には前記案内支持手段に抵抗を付与する付勢部材を更に備えているというものである。
【発明の効果】
【００１１】
請求項１の発明に係る配線カバー装置によると、天板に形成された配線用開口を開閉可能に覆う蓋体と、前記蓋体を閉蓋状態から開き回動させつつ前記配線用開口内に収容して開蓋状態にするように支持する案内支持手段とを備えており、前記閉蓋状態のときは、前記蓋体と前記配線用開口の上開口縁とが平面視で一部重なるように構成されているから、前記閉蓋状態では前記配線用開口の上開口縁が前記蓋体にて一部隠れることになる。このため、天板上において、前記配線用開口における前記上開口縁の露出（従来のような複数の長い線状模様）が少なくなるから、前記天板及び前記配線カバー装置の組合せ全体としてデザイン的に違和感が減り、外観上見栄え（体裁）がよくなるという効果を奏する。
【００１２】
請求項２の発明では、前記配線用開口及び前記蓋体は平面視矩形状に形成され、前記閉蓋状態のときは、前記蓋体の長手一端部が前記配線用開口における前記上開口縁の長手一側縁に上方から被さっている。前記案内支持手段は、前記蓋体の短手側部を上下回動可能に支持する回動アーム杆と、前記回動アーム杆の先端回動軸部を前記配線用開口の短手方向に沿って斜め上向きに案内するためのガイド部材とを備えている。そして、前記閉蓋状態のときは前記先端回動軸部が前記ガイド部材の下端側に位置し、前記蓋体の開き回動に伴って前記先端回動軸部が前記ガイド部材の上端側に移行するように設定されている。
【００１３】
かかる構成を採用すると、前記蓋体を手で引き上げれば、前記蓋体全体が上昇しながら前記配線用開口の短手方向に移動して、前記蓋体の長手一端部が前記配線用開口における前記上開口縁の長手一側縁から離れることになる。このため、閉蓋状態のときに前記蓋体の長手一端部が前記配線用開口における前記上開口縁の長手一側縁に上方から被さっているにも拘らず、前記蓋体を閉蓋状態から開き回動させつつ前記配線用開口内に収容して開蓋状態にできる。従って、閉蓋状態において前記配線用開口の上開口縁を前記蓋体にて一部隠す構成のものでありながら、前記蓋体の開閉動をスムーズに行えるという効果を奏する。
【００１４】
請求項３の発明によると、前記案内支持手段は、前記先端回動軸部が前記ガイド部材の上端側に移行するときに、側面視で前記蓋体が前記ガイド部材の下端側に向けて落ち込むように前記蓋体の回動方向を規制するための規制部材を備えているので、開き回動する前記蓋体を、前記天板上に乗り上げたりせずに、前記配線用開口内に確実に収容でき、前記蓋体の開き操作がより一層スムーズになるという効果を奏する。
【００１５】
請求項４の発明によると、前記蓋体における開閉動の初期には前記案内支持手段に移動力を補填し、前記開閉動の終期には前記案内支持手段に抵抗を付与する付勢部材を更に備えているから、前記付勢手段の作用にて、使用者は前記蓋体の初期開放操作を比較的軽い力でスムーズに行えると共に、開き動の終期において、前記蓋体の急激な落ち込み回動を防止して、騒音の発生や前記蓋体が傷つくおそれを低減できるという効果を奏する。
【図面の簡単な説明】
【００１６】
【図１】第１実施形態の配線カバー装置を有するテーブルの平面図である。
【図２】テーブルの側面図である。
【図３】配線カバー装置の平面図である。
【図４】配線カバー装置の分離斜視図である。
【図５】（ａ）は閉蓋状態の配線カバー装置を示す一部断面側面図、（ｂ）は開蓋状態の配線カバー装置を示す一部断面側面図である。
【図６】（ａ）は閉蓋状態での付勢部材を示す一部切り欠き拡大側面図、（ｂ）は開蓋状態での付勢部材を示す一部切り欠き拡大側面図である。
【図７】（ａ）は蓋体における開き動作の前半段階を模式的に示す作用説明図、（ｂ）は開き動作の後半段階を模式的に示す作用説明図である。
【図８】第２実施形態の配線カバー装置を示す側面図である。
【図９】第３実施形態の配線カバー装置を示す側面図である。
【発明を実施するための形態】
【００１７】
以下に、本願発明を具体化した実施形態を図面に基づいて説明する。図１は第１実施形態の配線カバー装置を有するテーブルの平面図、図２はテーブルの側面図、図３は配線カバー装置の平面図、図４は配線カバー装置の分離斜視図、図５のうち（ａ）は閉蓋状態の配線カバー装置を示す一部断面側面図、（ｂ）は開蓋状態の配線カバー装置を示す一部断面側面図、図６のうち（ａ）は閉蓋状態での付勢部材を示す一部切り欠き拡大側面図、（ｂ）は開蓋状態での付勢部材を示す一部切り欠き拡大側面図、図７のうち（ａ）は蓋体における開き動作の前半段階を模式的に示す作用説明図、（ｂ）は開き動作の後半段階を模式的に示す作用説明図、図８は第２実施形態の配線カバー装置を示す側面図、図９は第３実施形態の配線カバー装置を示す側面図である。
【００１８】
（１）．テーブルの概要
まず始めに、図１及び図２を参照しながら、第１実施形態の配線カバー装置１を有するテーブル１００の概要について説明する。
【００１９】
天板付き家具の一例であるテーブル１００は、平面視矩形状の天板１０１と、天板１０１の四隅寄り部位を下方から支持する４本の脚支柱１０２とを備えている。なお、以下の説明では、図１において紙面下側を前又は手前、紙面上側を後又は奥と称し、これを基準に前後左右を表現する。
【００２０】
天板１０１の手前側又は奥側で隣り合う脚支柱１０２の上端部同士は、左右長手の水平ビーム１０３にて連結されている。これら両水平ビーム１０３は天板１０１の下面に当接していて、天板１０１を下方から支持する役割も担っている。天板１０１の左側又は右側で隣り合う脚支柱１０２の上下中途部同士は、前後一対のサイドビーム１０４にて連結されている。そして、一方のサイドビーム１０４同士の連結部と、他方のサイドビーム１０４同士の連結部とが、左右長手の中央ビーム１０５にて連結されている。従って、４本の脚支柱１０２、２本の水平ビーム１０３、２対（４本）のサイドビーム１０４、及び１本の中央ビーム１０５によって、天板１０１を安定支持する骨組が構成されている。
【００２１】
天板１０１における下面の中央部には、左右に長い板状の配線受け板１０６が天板１０１の下面から適宜間隔を空けた状態で吊り下げ固定されている。天板１０１の中央部のうち配線受け板１０６の上方には、平面視矩形状（実施形態では左右に長い矩形状）の配線用開口１０７が上下に貫通するように形成されている。配線用開口１０７には、第１実施形態の配線カバー装置１が装着されている。従って、各種コード類（図示省略）は、天板１０１の下方から配線用開口１０７（配線カバー装置１）を介して天板１０１上に引き出されることになる。
【００２２】
（２）．配線カバー装置の概略構造
次に、図３〜図５を参照しながら、配線カバー装置１の概略構造について説明する。なお、図４では後蓋体３とその案内支持手段４との図示を省略し、図５では後述する端カバー体１４の図示を省略している。
【００２３】
第１実施形態の配線カバー装置１は、上下に開口した平面視矩形状の枠体２と、枠体２の開口部を開閉可能に覆う前後一対の蓋体３とを備えている。前記両蓋体３は、案内支持手段４（詳細は後述する）を介して、観音開き式に開き回動可能であり、且つ開蓋状態（図５（ｂ）参照）で枠体２内に収容可能に構成されている。この場合、前後両蓋体３及び案内支持手段４は枠体２に組み込まれていて、配線カバー装置１単体としてユニット化されていることは言うまでもない。このように配線カバー装置１をユニット化すると、天板１０１への組み付け作業を能率よく行える。その上、部材の管理の手間も軽減できる。
【００２４】
前後両蓋体３は、閉蓋状態（図１、図３及び図５（ａ）参照）において前後に適宜間隔が空くように並列状に配置されている。このため、閉蓋状態の前後両蓋体３間には左右横長の配線隙間５が空いている。図３及び図５に示すように、閉蓋状態のときは、各蓋体３と枠体２開口部（配線用開口１０７でもある）の上開口縁６とが平面視で一部重なるように構成されている。すなわち、閉蓋状態では、前蓋体３の前端部（長手一端部）が枠体２開口部における上開口縁６の前側縁部分６ａ（長手一側縁部分）に上方から被さる一方、後蓋体３の後端部（長手一端部）が枠体２開口部における上開口縁６の後側縁部分６ｂ（長手一側縁部分）に上方から被さることになる。
【００２５】
枠体２の左右内法寸法は、開蓋状態において各蓋体３を内部に収容し得るように、各蓋体３の左右幅寸法より若干大きく（長く）なっている。また、枠体２の前後幅寸法は、閉蓋状態において各蓋体３の長手一端部が枠体２開口部における上開口縁６の長手一側縁部分６ａ，６ｂを隠せるように、前後両蓋体３の前後幅寸法と配線隙間５の前後幅寸法との和より小さく（短く）なっている。
【００２６】
かかる構成を採用すると、枠体２開口部や配線用開口１０７の上開口縁６が各蓋体３にて一部隠れることになる（外側から見えなくなる）から、天板１０１上において、枠体２開口部や配線用開口１０７の上開口縁６の露出（従来のような複数の長い線状模様）が少なくなる。従って、天板１０１及び配線カバー装置１の組合せ全体としてデザイン的に違和感が減り、外観上見栄え（体裁）がよくなる。
【００２７】
枠体２は、合成樹脂製の左右両側板１１と、アルミニウム等の軽金属の押し出し成形又はロールダイス成形等にて形成された前板１２及び後板１３とを、互いに直交するようにビスにて連結してなるものである。左右側板１１の外面側には、中継ピボット体２２及び連動回動杆２７（詳細は後述する）を隠すための端カバー体１４が着脱可能に取り付けられている。端カバー体１４の上縁部には、左右外向きに張り出した張出板部１５が一体形成されている。このため、左右両側に端カバー体１４が装着された枠体２を天板１０１の配線用開口１０７に上方から嵌め込むと、配線用開口１０７における上開口縁の左右側縁部分が端カバー体１４の張出板部１５にて隠されることになる。
【００２８】
前板１２及び後板１３の外面側には、Ｌ字状に形成された固定用ブラケット１６の鉛直部がビスにて締結されている。左右両側に端カバー体１４が装着された枠体２を天板１０１の配線用開口１０７に上方から嵌め込んだ状態で、固定用ブラケット１６の水平部を天板１０１の下面に下方からねじ止めすることによって、枠体２が天板１０１の配線用開口１０７に取り外し可能に装着されている。
【００２９】
左右側板１１の内面上部には、各蓋体３における前後中央側のコーナ部に設けられた雄型係合部１８に係脱可能な雌型係合部１７が設けられている（第１実施形態では２つずつ）。両係合部１７，１８は、各蓋体３の前後中央側（特にコーナ部）を繰り返し押し操作することによって係合・係合解除動作を繰り返すプッシュラッチ式に構成されており、閉蓋状態では、両係合部１７，１８の係合にて前後両蓋体３がずれ不能に保持されることになる。また、左右側板１１の内面下部には、開蓋状態にある各蓋体３に当たってそれ以上の収容回動（落ち込み回動）を規制するためのストッパー片１９が突設されている（第１実施形態では２つずつ）。
【００３０】
（３）．案内支持手段の詳細構造
次に、図３〜図７を参照しながら、案内支持手段４の詳細構造について説明する。
【００３１】
第１実施形態の案内支持手段４は、各蓋体３の左右に対して左右対称状に設けられており（左右一対になっており）、取り付け箇所に拘らず同じ構成である。そこで、前蓋体３の左側に位置する案内支持手段４を代表例として、以下に説明する。
【００３２】
案内支持手段４は、前蓋体３を閉蓋状態（図３及び図５（ａ）参照）から開き回動させつつ枠体２内に収容して開蓋状態（図５（ｂ）参照）にするように支持するものであり、前蓋体３の左側部を上下回動可能に支持する回動アーム杆２１と、回動アーム杆２１の先端回動軸部として機能する中継ピボット体２２と、左側板１１に形成されたガイド部材としてのガイド溝穴２３とを備えている。
【００３３】
図４〜図６に示すように、ガイド溝穴２３は、左側板１１の前後方向（配線用開口１０７の短手方向）に沿って斜め上向きに延びた形態に形成されている。第１実施形態のガイド溝穴２３は、左側板１１の前後中央部に向けて斜め上向きの円弧状になっている。このため、第１実施形態の左側板１１には、前後一対のガイド溝穴２３がハ字状に並ぶように形成されている。
【００３４】
回動アーム杆２１の基端部は前蓋体３の下面左側に取り付けられている。回動アーム杆２１の先端部には、中継ピボット体２２に一体形成された雌型嵌合部２５に着脱可能に嵌る雄型嵌合部２４が形成されている。中継ピボット体２２の雌型嵌合部２５は、回動アーム杆２１の雄型嵌合部２４に嵌め合わせた状態で、ガイド溝穴２３の溝幅にきっちりと収まる外形形状に形成されている。
【００３５】
この場合、中継ピボット体２２の雌型嵌合部２５を、左側板１１を挟んで外側からガイド溝穴２３に挿入し、この状態の雌型嵌合部２５に、回動アーム杆２１の雄型嵌合部２４を、左側板１１を挟んで内側から嵌め合わせている。このため、中継ピボット体２２及び回動アーム杆２１は、互いにガイド溝穴２３に沿ってスライド可能で且つ雌型嵌合部２５回りに一体的に回動可能になっている（お互いは固定的な関係にある）。
【００３６】
図５及び図６に示すように、閉蓋状態のときは、中継ピボット体２２がガイド溝穴２３の下端側に位置し、前蓋体３の開き回動に伴って中継ピボット体２２がガイド溝穴２３の上端側に移行するように設定されている。このため、閉蓋状態の前蓋体３を手で引き上げて、中継ピボット体２２回りに開き回動させると、中継ピボット体２２、ひいては、前蓋体３全体が上昇しながら枠体２の前後中央側に移動することになり、前蓋体３の前端部は枠体２開口部における上開口縁６の前側縁部分６ａから離れる。その結果、前蓋体３は、更なる中継ピボット体２２回りの回動にて枠体２内に収容される（開蓋状態になる）。
【００３７】
つまり、中継ピボット体２２におけるガイド溝穴２３に沿ってのスライド作用及び回動作用によって、閉蓋状態のときに前蓋体３の前端部が枠体２開口部における上開口縁６の前側縁部分６ａに上方から被さっているにも拘らず、前蓋体３はその前端部の干渉を回避してスムーズに開き回動可能であり、且つ、開蓋状態で枠体２内に収容可能になっている。その結果、前蓋体３の開閉動をスムーズに行えるのである。
【００３８】
一方、第１実施形態の案内支持手段４は、中継ピボット体２２がガイド溝穴２３の上端側に移行するときに、側面視において前蓋体３が枠体２内の前板１２（長手一側壁）寄りに落ち込むように前蓋体３の回動方向を規制する規制部材としての連動回動杆２７をも備えている。
【００３９】
この場合、中継ピボット体２２のうち雌型嵌合部２５と反対側の端面には、雌型嵌合部２５の軸心Ａから偏心した位置に、外向き開口状の凹み穴２６が形成されており（図７参照）、当該凹み穴２６に、連動回動杆２７の先端部に突設された突出片部２８が回動可能に嵌め込まれている。連動回動杆２７の基端部は、左側板１１の外面から外向きに突出する枢支軸２９に回動可能に枢着されている。
【００４０】
図５及び図６に示すように、連動回動杆２７は、中継ピボット体２２がガイド溝穴２３に沿ってスライド移動するときに、前方斜め上向きに傾斜した姿勢から後方斜め上向きに傾斜した姿勢までの範囲で、枢支軸２９回りに回動可能に構成されている。この場合、中継ピボット体２２の凹み穴２６と連動回動杆２７の突出片部２８との回動中心Ｂは、図６に一点鎖線にて示す移動軌跡ＢＬを描くことになる。
【００４１】
回動中心Ｂの移動軌跡ＢＬは、中継ピボット体２２（雌型嵌合部２５）の軸心Ａの描く移動軌跡ＡＬ（図６の二点鎖線参照）と側面視で交差する関係になっている。そして、閉蓋状態においては、回動中心Ｂが中継ピボット体２２の軸心Ａより前方に位置し、中継ピボット体２２がガイド溝穴２３の上端に到達したときは、中継ピボット体２２の軸心Ａ、回動中心Ｂ及び枢支軸２９が側面視で直線状に並び、更に、開蓋状態（連動回動杆２７が後方斜め上向きに最も傾斜した状態）では、中継ピボット体２２がガイド溝穴２３の上端から少し後戻りするように設定されている。
【００４２】
このため、閉蓋状態の前蓋体３を手で引き上げて中継ピボット体２２回りに開き回動させると、図６（ａ）に示すように、中継ピボット体２２はガイド溝穴２３の上端側に向けてスライド移動しながら、連動回動杆２７にて図６の反時計方向（矢印ＯＰ方向参照）に回動させられる。その結果、前蓋体３は、側面視で枠体２内の前板１２寄り（ガイド溝穴２３の下端側）に落ち込み、後板１３（後蓋体３）側には回動しない。従って、開き回動する前蓋体３を、後蓋体３やその奥の天板１０１上に乗り上げることなく、確実に枠体２内に収容でき、前蓋体３の開き操作がより一層スムーズになる。
【００４３】
連動回動杆２７も中継ピボット体２２のスライド移動に追随して、図６において枢支軸２９回りの時計方向（矢印ＣＷ方向）に回動する。そして、図６（ｂ）に示すように、中継ピボット体２２がガイド溝穴２３の上端に到達してから、連動回動杆２７が後方斜め上向きに最も傾斜した状態まで回動すると、中継ピボット体２２が図６の反時計方向（矢印ＯＰ方向参照）に更に回動して、ガイド溝穴２３の上端から少し後戻りする結果、前蓋体３は、ストッパー片１９に当接するまで収容回動（落ち込み回動）して、枠体２内に収容され開蓋状態になる。
【００４４】
このとき、中継ピボット体２２がガイド溝穴２３の上端から少し後戻りして（前側に移動して）、前蓋体３は枠体２の前板１２に近付いた上で開蓋状態になるので、開蓋状態での枠体２開口部の前後開口幅をできるだけ広く確保することが可能になる。このため、各種コード類の配線作業がし易くなっている。
【００４５】
なお、開蓋状態の前蓋体３を手で引き上げて閉じ回動させながら閉蓋状態に移行する場合は、前蓋体３、中継ピボット体２２及び連動回動杆２７の動作が前述の態様と逆になるだけなので、その詳細な説明を割愛する。
【００４６】
図５及び図７に示すように、第１実施形態の連動回動杆２７には、開蓋状態のときに中継ピボット体２２の外周部に形成された突起３０と係合（嵌合）するクリック受けアーム３１が一体形成されている。このため、前蓋体３を開蓋状態にまで移動させると、中継ピボット体２２の突起３０が連動回動杆２７のクリック受けアーム３１に係合し、使用者にカチッとしたクリック感が伝わる。すなわち、前蓋体３が開蓋状態にまで移動した事実を手応えにて使用者に伝達できる。
【００４７】
なお、第１実施形態の連動回動杆２７においては、一対のクリック受けアーム３１が本体部を挟んで両側に対称状に形成されているが、これは、取り付け位置の違いだけで複数種類の連動回動杆２７を製作することによるコスト及び工数を省き、１種類の連動回動杆２７にて対処できるようにしたものである。
【００４８】
第１実施形態では、前蓋体３における開閉動の初期に案内支持手段４に移動力を補填し、開閉動の終期には案内支持手段４に抵抗を付与する付勢部材としての板バネ３２を更に備えている（図７参照）。
【００４９】
この場合、中継ピボット体２２のうち雌型嵌合部２５と反対側の端面に、溝状受け部３３を形成する一方、連動回動杆２７における突出片部２８側の端面に、収納溝部３４が形成されている。そして、中継ピボット体２２の溝状受け部３３と連動回動杆２７の収納溝部３４とに跨がるようにして、板バネ３２が内蔵されている。
【００５０】
板バネ３２は、中継ピボット体２２がガイド溝穴２３の下端側に位置する閉蓋状態のときに、溝状受け部３３の前内側壁と収納溝部３４（突出片部２８）とに当たって、前向き凸のく字状に湾曲し（図７（ａ）参照）、中継ピボット体２２がガイド溝穴２３の上端側に位置する開蓋状態のときに、溝状受け部３３の後内側壁と収納溝部３４（突出片部２８）とに当たって、後向き凸の逆く字状に湾曲するように構成されている（図７（ａ）参照）。
【００５１】
閉蓋状態の前蓋体３を手で引き上げて開き回動させる際は（開き動の初期）、板バネ３２の弾性復原力が中継ピボット体２２を図７（ａ）の反時計方向（矢印ＯＰ方向参照）に押すように作用する。このため、中継ピボット体２２はガイド溝穴２３の上端側に向けてスライド移動しながら、連動回動杆２７と板バネ３２との相互作用にて、図７（ａ）の反時計方向に回動させられることになり、使用者は前蓋体３の初期開放操作を比較的軽い力でスムーズに行える。
【００５２】
また、前蓋体３をストッパー片１９に当接するまで収容回動（落ち込み回動）させる際は（開き動の終期）、中継ピボット体２２が板バネ３２の弾性に抗して図７（ｂ）の反時計方向（矢印ＯＰ方向参照）に回動するから、中継ピボット体２２の回動方向と板バネ３２の弾性復原力方向とが逆向きになって、中継ピボット体２２には、板バネ３２の弾性復原力という抵抗が加わる。
【００５３】
このため、板バネ３２による抵抗が中継ピボット体２２を介して前蓋体３の開き動を阻害する方向に作用することになり、前蓋体３の下向き回動速度は、自重による加速を抑制されて遅くなる。その結果、前蓋体３は、ゆっくりとストッパー片１９に当たって開蓋状態に保持される。従って、開き動の終期において、前蓋体３の急激な落ち込み回動を防止でき、騒音の発生や、前蓋体３及び周囲の枠体２が傷つくおそれを低減できる。
【００５４】
なお、開蓋状態の前蓋体３を手で引き上げて閉じ回動させながら閉蓋状態に移行する場合は、板バネ３２の弾性復原力の作用方向が前述の態様と逆になるだけなので、その詳細な説明を割愛する。
【００５５】
（４）．他の実施形態
図８及び図９には、配線カバー装置１における案内支持手段４の別例を示している。ここで、第２実施形態以降の実施形態において、構成及び作用が第１実施形態と同じものには同じ符号を付して、その詳細な説明を省略する。なお、図８及び図９では端カバー体１４の図示を省略している。
【００５６】
図８に示す第２実施形態の案内支持手段４は、回動アーム杆２１、中継ピボット体２２、ガイド溝穴２３、及び連動回動杆２７以外に、中継ピボット体２２のガイド溝穴２３に沿ったスライド移動を補完するためのガイド杆３５を備えている。
【００５７】
第２実施形態におけるガイド杆３５の先端部は、中継ピボット体２２に回動可能に連結されており、その回動中心を中継ピボット体２２の軸心Ａ（回動アーム杆２１との連結固定部分の軸心Ａ）に一致させている。ガイド杆３５の基端部は、左側板１１の外面のうちガイド溝穴２３の半径中心に相当する箇所から外向きに突出する枢支軸３６に回動可能に枢着されている。従って、詳細は図示していないが、ガイド杆における先端部の回動中心の移動軌跡は、中継ピボット体２２の軸心Ａの描く移動軌跡と一致することになる。なお、連動回動杆２７の本体部とガイド杆３５の本体部とは左右にずらして配置されており、両者が２７，３５が回動移動時に互いに干渉し合うことはない。
【００５８】
第２実施形態では、付勢部材の取り付け態様が第１実施形態とは異なっている。この場合、左右側板１１における外面の前寄り部位に、前側の中継ピボット体２２に当接可能なＬ字板バネ３７が設けられており、左右側板１１における外面の前後中央部位には、前後のガイド杆３５に当接可能なＵ字板バネ３８が設けられている。そして、左右側板１１における外面の後寄り部位に、後側の中継ピボット体２２に当接可能なＬ字板バネ３９が設けられている。
【００５９】
各Ｌ字板バネ３７，３９とＵ字板バネ３８とにおいてはその役割が分担されている。各Ｌ字板バネ３７，３９は、その弾性復原力にて、各蓋体３における開き動の初期に中継ピボット体２２に移動力を補填し、閉じ動の終期に中継ピボット体２２に抵抗を付与するように設定されている。Ｕ字板バネ３８の前側部分は、その弾性復原力にて、前蓋体３における閉じ動の初期にガイド杆３５に移動力を補填し、開き動の終期にガイド杆３５に抵抗を付与するように設定されている。そして、Ｕ字板バネ３８の後側部分は、その弾性復原力にて、後蓋体３における閉じ動の初期にガイド杆３５に移動力を補填し、開き動の終期にガイド杆３５に抵抗を付与するように設定されている。
【００６０】
このように構成した場合も、第１実施形態と同様に、各蓋体３の初期開放操作を比較的軽い力でスムーズに行えると共に、開き動の終期において、各蓋体３の急激な落ち込み回動を防止でき、騒音の発生や、前蓋体３及び周囲の枠体２が傷つくおそれを低減できる。
【００６１】
図９に示す第３実施形態の案内支持手段４は、板バネ３７〜３９群がないだけで基本的に第２実施形態のものと同様の構成である。但し、前後のガイド杆３５の基端部には、互いに噛み合うギヤ部材４０が設けられている。このようにギヤ部材４０同士を噛み合わせれば、一方の蓋体３の開閉操作に連動して、他方の蓋体３まで自動的に開閉させることが可能になり、前後一対の蓋体３の開閉操作性が向上する。
【００６２】
なお、第１実施形態の案内支持手段４にも、前述のような連動機構を採用することが可能である。この場合は、例えば前後両連動回動杆２７の基端部間の距離に応じて、大径のギヤ部材を設けたり、複数のギヤ部材を組み合わせたりすればよい。
【００６３】
（５）．その他
本願発明は、前述の実施形態に限らず、様々な態様に具体化できる。例えば本願発明の配線カバー装置は、テーブルの天板以外に、机その他の家具の天板にも取り付けることが可能である。前述の実施形態では、配線用開口１０７（枠体２）に対して観音開き式の蓋体３を前後一対備えていたが、蓋体３は配線用開口１０７（枠体２）に対して１つであっても構わない。また、天板の配線用開口に、案内支持手段を介して蓋体を直接取り付ける構成にしてもよい。ガイド部材は前述のようなガイド溝穴２３に限らず、例えば回動アーム杆の先端回動軸部が嵌る溝状経路でもよく、回動アーム杆の先端回動軸部を所定方向に案内できるものであれば、その形状は特に問わない。
【００６４】
その他、各部の構成は図示の実施形態に限定されるものではなく、本発明の趣旨を逸脱しない範囲で種々変更が可能である。
【符号の説明】
【００６５】
１ 配線カバー装置
２ 枠体
３ 蓋体
４ 案内支持手段
５ 配線隙間
６ 上開口縁
６ａ 前側縁部分
６ｂ 後側縁部分
１１ 左右側板
１９ ストッパー片
２１ 回動アーム杆
２２ 先端回動軸部としての中継ピボット体
２３ ガイド部材としてのガイド溝穴
２７ 規制部材としての連動回動杆
３２ 付勢部材としての板バネ
１００ テーブル
１０１ 天板
１０７ 配線用開口
【図１】
2014121650.tif 000003
【図２】
2014121650.tif 000004
【図３】
2014121650.tif 000005
【図４】
2014121650.tif 000006
【図５】
2014121650.tif 000007
【図６】
2014121650.tif 000008
【図７】
2014121650.tif 000009
【図８】
2014121650.tif 000010
【図９】
2014121650.tif 000011
【手続補正書】
【提出日】平成26年5月2日(2014.5.2)
【手続補正１】
【補正対象書類名】特許請求の範囲
【補正対象項目名】全文
【補正方法】変更
【補正の内容】
【特許請求の範囲】
【請求項１】
コードが天板上に引き出される配線用開口と、左右横長の軸心回りに回動して前記配線用開口を開閉する蓋体とを備えており、前記蓋体の開閉が、閉じた状態での蓋体よりも下方に位置した案内支持手段で案内される構成であって、
前記案内支持手段は、側面視で傾斜したガイド溝穴とこれに嵌まった支軸部とを有しており、前記支軸部とガイド溝穴との相対位置が前後方向と上下方向との両方向に移動することにより、前記蓋体は高さと前後位置とを変えつつ回動して開閉することが許容されている、
テーブル又は机。
【手続補正２】
【補正対象書類名】明細書
【補正対象項目名】全文
【補正方法】変更
【補正の内容】
【発明の詳細な説明】
【技術分野】
【０００１】
本願発明は、テーブル又は机に関するものである。
【背景技術】
【０００２】
テーブルの配線カバー装置として、本願出願人は過去に、テーブルにおける天板の中央部に形成された配線用開口に、一対の蓋体を観音開き式に跳ね上げ回動可能に取り付ける一方、開蓋状態では各蓋体を配線用開口内に落ち込むようにスライド可能に構成することを、特許文献１において開示した。
【０００３】
かかる構成によると、着脱式のものとは異なり、各蓋体を配線用開口から取り外す必要がないため、各蓋体をなくすおそれがないばかりか、開蓋状態では各蓋体が配線用開口内に収容されるので、配線を通したり天板上に物を置いたりする際でも、各蓋体の存在が邪魔にならないという利点がある。
【先行技術文献】
【特許文献】
【０００４】
【特許文献１】特開２００３−２３５６４９号公報（図８〜図１２参照）
【発明の概要】
【発明が解決しようとする課題】
【０００５】
しかし、前記従来の構成では、閉蓋状態にある蓋体の回動中心側の側縁部と、これに対峙する配線用開口の長手開口縁との間に、蓋体の回動を許容するための微小隙間が空いているため、この付近においては、蓋体の回動中心側の側縁部、微小隙間、及び配線用開口の長手開口縁が露出して、複数の長い線状模様を呈することになる。このような線状模様が複数現れたのでは外観上見栄えがよくないという点において、前記従来の構成は未だ改善の余地があった。
【０００６】
本願発明は、このような現状を改善することを主たる課題とするものである。
【課題を解決するための手段】
【０００７】
本願発明のテーブルはは、コードが天板上に引き出される配線用開口と、左右横長の軸心回りに回動して前記配線用開口を開閉する蓋体とを備えており、前記蓋体の開閉が、閉じた状態での蓋体よりも下方に位置した案内支持手段で案内される構成であって、
前記案内支持手段は、側面視で傾斜したガイド溝穴とこれに嵌まった支軸部とを有しており、前記支軸部とガイド溝穴との相対位置が前後方向と上下方向との両方向に移動することにより、前記蓋体は高さと前後位置とを変えつつ回動して開閉することが許容されている。
【０００８】
【０００９】
【００１０】
【発明の効果】
【００１１】
本願発明では、開閉に際して蓋体を配線用開口から取り外す必要がないため、特許文献１と同様に、各蓋体をなくすおそれがない。
【００１２】
【００１３】
【００１４】
【００１５】
【図面の簡単な説明】
【００１６】
【図１】第１実施形態の配線カバー装置を有するテーブルの平面図である。
【図２】テーブルの側面図である。
【図３】配線カバー装置の平面図である。
【図４】配線カバー装置の分離斜視図である。
【図５】（ａ）は閉蓋状態の配線カバー装置を示す一部断面側面図、（ｂ）は開蓋状態の配線カバー装置を示す一部断面側面図である。
【図６】（ａ）は閉蓋状態での付勢部材を示す一部切り欠き拡大側面図、（ｂ）は開蓋状態での付勢部材を示す一部切り欠き拡大側面図である。
【図７】（ａ）は蓋体における開き動作の前半段階を模式的に示す作用説明図、（ｂ）は開き動作の後半段階を模式的に示す作用説明図である。
【図８】第２実施形態の配線カバー装置を示す側面図である。
【図９】第３実施形態の配線カバー装置を示す側面図である。
【発明を実施するための形態】
【００１７】
以下に、本願発明を具体化した実施形態を図面に基づいて説明する。図１は第１実施形態の配線カバー装置を有するテーブルの平面図、図２はテーブルの側面図、図３は配線カバー装置の平面図、図４は配線カバー装置の分離斜視図、図５のうち（ａ）は閉蓋状態の配線カバー装置を示す一部断面側面図、（ｂ）は開蓋状態の配線カバー装置を示す一部断面側面図、図６のうち（ａ）は閉蓋状態での付勢部材を示す一部切り欠き拡大側面図、（ｂ）は開蓋状態での付勢部材を示す一部切り欠き拡大側面図、図７のうち（ａ）は蓋体における開き動作の前半段階を模式的に示す作用説明図、（ｂ）は開き動作の後半段階を模式的に示す作用説明図、図８は第２実施形態の配線カバー装置を示す側面図、図９は第３実施形態の配線カバー装置を示す側面図である。
【００１８】
（１）．テーブルの概要
まず始めに、図１及び図２を参照しながら、第１実施形態の配線カバー装置１を有するテーブル１００の概要について説明する。
【００１９】
天板付き家具の一例であるテーブル１００は、平面視矩形状の天板１０１と、天板１０１の四隅寄り部位を下方から支持する４本の脚支柱１０２とを備えている。なお、以下の説明では、図１において紙面下側を前又は手前、紙面上側を後又は奥と称し、これを基準に前後左右を表現する。
【００２０】
天板１０１の手前側又は奥側で隣り合う脚支柱１０２の上端部同士は、左右長手の水平ビーム１０３にて連結されている。これら両水平ビーム１０３は天板１０１の下面に当接していて、天板１０１を下方から支持する役割も担っている。天板１０１の左側又は右側で隣り合う脚支柱１０２の上下中途部同士は、前後一対のサイドビーム１０４にて連結されている。そして、一方のサイドビーム１０４同士の連結部と、他方のサイドビーム１０４同士の連結部とが、左右長手の中央ビーム１０５にて連結されている。従って、４本の脚支柱１０２、２本の水平ビーム１０３、２対（４本）のサイドビーム１０４、及び１本の中央ビーム１０５によって、天板１０１を安定支持する骨組が構成されている。
【００２１】
天板１０１における下面の中央部には、左右に長い板状の配線受け板１０６が天板１０１の下面から適宜間隔を空けた状態で吊り下げ固定されている。天板１０１の中央部のうち配線受け板１０６の上方には、平面視矩形状（実施形態では左右に長い矩形状）の配線用開口１０７が上下に貫通するように形成されている。配線用開口１０７には、第１実施形態の配線カバー装置１が装着されている。従って、各種コード類（図示省略）は、天板１０１の下方から配線用開口１０７（配線カバー装置１）を介して天板１０１上に引き出されることになる。
【００２２】
（２）．配線カバー装置の概略構造
次に、図３〜図５を参照しながら、配線カバー装置１の概略構造について説明する。なお、図４では後蓋体３とその案内支持手段４との図示を省略し、図５では後述する端カバー体１４の図示を省略している。
【００２３】
第１実施形態の配線カバー装置１は、上下に開口した平面視矩形状の枠体２と、枠体２
の開口部を開閉可能に覆う前後一対の蓋体３とを備えている。前記両蓋体３は、案内支持手段４（詳細は後述する）を介して、観音開き式に開き回動可能であり、且つ開蓋状態（図５（ｂ）参照）で枠体２内に収容可能に構成されている。この場合、前後両蓋体３及び案内支持手段４は枠体２に組み込まれていて、配線カバー装置１単体としてユニット化されていることは言うまでもない。このように配線カバー装置１をユニット化すると、天板１０１への組み付け作業を能率よく行える。その上、部材の管理の手間も軽減できる。
【００２４】
前後両蓋体３は、閉蓋状態（図１、図３及び図５（ａ）参照）において前後に適宜間隔が空くように並列状に配置されている。このため、閉蓋状態の前後両蓋体３間には左右横長の配線隙間５が空いている。図３及び図５に示すように、閉蓋状態のときは、各蓋体３と枠体２開口部（配線用開口１０７でもある）の上開口縁６とが平面視で一部重なるように構成されている。すなわち、閉蓋状態では、前蓋体３の前端部（長手一端部）が枠体２開口部における上開口縁６の前側縁部分６ａ（長手一側縁部分）に上方から被さる一方、後蓋体３の後端部（長手一端部）が枠体２開口部における上開口縁６の後側縁部分６ｂ（長手一側縁部分）に上方から被さることになる。
【００２５】
枠体２の左右内法寸法は、開蓋状態において各蓋体３を内部に収容し得るように、各蓋体３の左右幅寸法より若干大きく（長く）なっている。また、枠体２の前後幅寸法は、閉蓋状態において各蓋体３の長手一端部が枠体２開口部における上開口縁６の長手一側縁部分６ａ，６ｂを隠せるように、前後両蓋体３の前後幅寸法と配線隙間５の前後幅寸法との和より小さく（短く）なっている。
【００２６】
かかる構成を採用すると、枠体２開口部や配線用開口１０７の上開口縁６が各蓋体３にて一部隠れることになる（外側から見えなくなる）から、天板１０１上において、枠体２開口部や配線用開口１０７の上開口縁６の露出（従来のような複数の長い線状模様）が少なくなる。従って、天板１０１及び配線カバー装置１の組合せ全体としてデザイン的に違和感が減り、外観上見栄え（体裁）がよくなる。
【００２７】
枠体２は、合成樹脂製の左右両側板１１と、アルミニウム等の軽金属の押し出し成形又はロールダイス成形等にて形成された前板１２及び後板１３とを、互いに直交するようにビスにて連結してなるものである。左右側板１１の外面側には、中継ピボット体２２及び連動回動杆２７（詳細は後述する）を隠すための端カバー体１４が着脱可能に取り付けられている。端カバー体１４の上縁部には、左右外向きに張り出した張出板部１５が一体形成されている。このため、左右両側に端カバー体１４が装着された枠体２を天板１０１の配線用開口１０７に上方から嵌め込むと、配線用開口１０７における上開口縁の左右側縁部分が端カバー体１４の張出板部１５にて隠されることになる。
【００２８】
前板１２及び後板１３の外面側には、Ｌ字状に形成された固定用ブラケット１６の鉛直部がビスにて締結されている。左右両側に端カバー体１４が装着された枠体２を天板１０１の配線用開口１０７に上方から嵌め込んだ状態で、固定用ブラケット１６の水平部を天板１０１の下面に下方からねじ止めすることによって、枠体２が天板１０１の配線用開口１０７に取り外し可能に装着されている。
【００２９】
左右側板１１の内面上部には、各蓋体３における前後中央側のコーナ部に設けられた雄型係合部１８に係脱可能な雌型係合部１７が設けられている（第１実施形態では２つずつ）。両係合部１７，１８は、各蓋体３の前後中央側（特にコーナ部）を繰り返し押し操作することによって係合・係合解除動作を繰り返すプッシュラッチ式に構成されており、閉蓋状態では、両係合部１７，１８の係合にて前後両蓋体３がずれ不能に保持されることになる。また、左右側板１１の内面下部には、開蓋状態にある各蓋体３に当たってそれ以上の収容回動（落ち込み回動）を規制するためのストッパー片１９が突設されている（第１
実施形態では２つずつ）。
【００３０】
（３）．案内支持手段の詳細構造
次に、図３〜図７を参照しながら、案内支持手段４の詳細構造について説明する。
【００３１】
第１実施形態の案内支持手段４は、各蓋体３の左右に対して左右対称状に設けられており（左右一対になっており）、取り付け箇所に拘らず同じ構成である。そこで、前蓋体３の左側に位置する案内支持手段４を代表例として、以下に説明する。
【００３２】
案内支持手段４は、前蓋体３を閉蓋状態（図３及び図５（ａ）参照）から開き回動させつつ枠体２内に収容して開蓋状態（図５（ｂ）参照）にするように支持するものであり、前蓋体３の左側部を上下回動可能に支持する回動アーム杆２１と、回動アーム杆２１の支軸部として機能する中継ピボット体２２と、左側板１１に形成されたガイド部材としてのガイド溝穴２３とを備えている。
【００３３】
図４〜図６に示すように、ガイド溝穴２３は、左側板１１の前後方向（配線用開口１０７の短手方向）に沿って斜め上向きに延びた形態に形成されている。第１実施形態のガイド溝穴２３は、左側板１１の前後中央部に向けて斜め上向きに傾斜した円弧状になっている。このため、第１実施形態の左側板１１には、前後一対のガイド溝穴２３がハ字状に並ぶように形成されている。
【００３４】
回動アーム杆２１の基端部は前蓋体３の下面左側に取り付けられている。回動アーム杆２１の先端部には、中継ピボット体２２に一体形成された雌型嵌合部２５に着脱可能に嵌る雄型嵌合部２４が形成されている。中継ピボット体２２の雌型嵌合部２５は、回動アーム杆２１の雄型嵌合部２４に嵌め合わせた状態で、ガイド溝穴２３の溝幅にきっちりと収まる外形形状に形成されている。
【００３５】
この場合、中継ピボット体２２の雌型嵌合部２５を、左側板１１を挟んで外側からガイド溝穴２３に挿入し、この状態の雌型嵌合部２５に、回動アーム杆２１の雄型嵌合部２４を、左側板１１を挟んで内側から嵌め合わせている。このため、中継ピボット体２２及び回動アーム杆２１は、互いにガイド溝穴２３に沿ってスライド可能で且つ雌型嵌合部２５回りに一体的に回動可能になっている（お互いは固定的な関係にある）。
【００３６】
図５及び図６に示すように、閉蓋状態のときは、中継ピボット体２２がガイド溝穴２３の下端側に位置し、前蓋体３の開き回動に伴って中継ピボット体２２がガイド溝穴２３の上端側に移行するように設定されている。このため、閉蓋状態の前蓋体３を手で引き上げて、中継ピボット体２２回りに開き回動させると、中継ピボット体２２、ひいては、前蓋体３全体が上昇しながら枠体２の前後中央側に移動することになり、前蓋体３の前端部は枠体２開口部における上開口縁６の前側縁部分６ａから離れる。その結果、前蓋体３は、更なる中継ピボット体２２回りの回動にて枠体２内に収容される（開蓋状態になる）。
【００３７】
つまり、中継ピボット体２２におけるガイド溝穴２３に沿ってのスライド作用及び回動作用によって、閉蓋状態のときに前蓋体３の前端部が枠体２開口部における上開口縁６の前側縁部分６ａに上方から被さっているにも拘らず、前蓋体３はその前端部の干渉を回避してスムーズに開き回動可能であり、且つ、開蓋状態で枠体２内に収容可能になっている。その結果、前蓋体３の開閉動をスムーズに行えるのである。
【００３８】
一方、第１実施形態の案内支持手段４は、中継ピボット体２２がガイド溝穴２３の上端側に移行するときに、側面視において前蓋体３が枠体２内の前板１２（長手一側壁）寄りに落ち込むように前蓋体３の回動方向を規制する規制部材としての連動回動杆２７をも備
えている。
【００３９】
この場合、中継ピボット体２２のうち雌型嵌合部２５と反対側の端面には、雌型嵌合部２５の軸心Ａから偏心した位置に、外向き開口状の凹み穴２６が形成されており（図７参照）、当該凹み穴２６に、連動回動杆２７の先端部に突設された突出片部２８が回動可能に嵌め込まれている。連動回動杆２７の基端部は、左側板１１の外面から外向きに突出する枢支軸２９に回動可能に枢着されている。
【００４０】
図５及び図６に示すように、連動回動杆２７は、中継ピボット体２２がガイド溝穴２３に沿ってスライド移動するときに、前方斜め上向きに傾斜した姿勢から後方斜め上向きに傾斜した姿勢までの範囲で、枢支軸２９回りに回動可能に構成されている。この場合、中継ピボット体２２の凹み穴２６と連動回動杆２７の突出片部２８との回動中心Ｂは、図６に一点鎖線にて示す移動軌跡ＢＬを描くことになる。
【００４１】
回動中心Ｂの移動軌跡ＢＬは、中継ピボット体２２（雌型嵌合部２５）の軸心Ａの描く移動軌跡ＡＬ（図６の二点鎖線参照）と側面視で交差する関係になっている。そして、閉蓋状態においては、回動中心Ｂが中継ピボット体２２の軸心Ａより前方に位置し、中継ピボット体２２がガイド溝穴２３の上端に到達したときは、中継ピボット体２２の軸心Ａ、回動中心Ｂ及び枢支軸２９が側面視で直線状に並び、更に、開蓋状態（連動回動杆２７が後方斜め上向きに最も傾斜した状態）では、中継ピボット体２２がガイド溝穴２３の上端から少し後戻りするように設定されている。
【００４２】
このため、閉蓋状態の前蓋体３を手で引き上げて中継ピボット体２２回りに開き回動させると、図６（ａ）に示すように、中継ピボット体２２はガイド溝穴２３の上端側に向けてスライド移動しながら、連動回動杆２７にて図６の反時計方向（矢印ＯＰ方向参照）に回動させられる。その結果、前蓋体３は、側面視で枠体２内の前板１２寄り（ガイド溝穴２３の下端側）に落ち込み、後板１３（後蓋体３）側には回動しない。従って、開き回動する前蓋体３を、後蓋体３やその奥の天板１０１上に乗り上げることなく、確実に枠体２内に収容でき、前蓋体３の開き操作がより一層スムーズになる。
【００４３】
連動回動杆２７も中継ピボット体２２のスライド移動に追随して、図６において枢支軸２９回りの時計方向（矢印ＣＷ方向）に回動する。そして、図６（ｂ）に示すように、中継ピボット体２２がガイド溝穴２３の上端に到達してから、連動回動杆２７が後方斜め上向きに最も傾斜した状態まで回動すると、中継ピボット体２２が図６の反時計方向（矢印ＯＰ方向参照）に更に回動して、ガイド溝穴２３の上端から少し後戻りする結果、前蓋体３は、ストッパー片１９に当接するまで収容回動（落ち込み回動）して、枠体２内に収容され開蓋状態になる。
【００４４】
このとき、中継ピボット体２２がガイド溝穴２３の上端から少し後戻りして（前側に移動して）、前蓋体３は枠体２の前板１２に近付いた上で開蓋状態になるので、開蓋状態での枠体２開口部の前後開口幅をできるだけ広く確保することが可能になる。このため、各種コード類の配線作業がし易くなっている。
【００４５】
なお、開蓋状態の前蓋体３を手で引き上げて閉じ回動させながら閉蓋状態に移行する場合は、前蓋体３、中継ピボット体２２及び連動回動杆２７の動作が前述の態様と逆になるだけなので、その詳細な説明を割愛する。
【００４６】
図５及び図７に示すように、第１実施形態の連動回動杆２７には、開蓋状態のときに中継ピボット体２２の外周部に形成された突起３０と係合（嵌合）するクリック受けアーム３１が一体形成されている。このため、前蓋体３を開蓋状態にまで移動させると、中継ピ
ボット体２２の突起３０が連動回動杆２７のクリック受けアーム３１に係合し、使用者にカチッとしたクリック感が伝わる。すなわち、前蓋体３が開蓋状態にまで移動した事実を手応えにて使用者に伝達できる。
【００４７】
なお、第１実施形態の連動回動杆２７においては、一対のクリック受けアーム３１が本体部を挟んで両側に対称状に形成されているが、これは、取り付け位置の違いだけで複数種類の連動回動杆２７を製作することによるコスト及び工数を省き、１種類の連動回動杆２７にて対処できるようにしたものである。
【００４８】
第１実施形態では、前蓋体３における開閉動の初期に案内支持手段４に移動力を補填し、開閉動の終期には案内支持手段４に抵抗を付与する付勢部材としての板バネ３２を更に備えている（図７参照）。
【００４９】
この場合、中継ピボット体２２のうち雌型嵌合部２５と反対側の端面に、溝状受け部３３を形成する一方、連動回動杆２７における突出片部２８側の端面に、収納溝部３４が形成されている。そして、中継ピボット体２２の溝状受け部３３と連動回動杆２７の収納溝部３４とに跨がるようにして、板バネ３２が内蔵されている。
【００５０】
板バネ３２は、中継ピボット体２２がガイド溝穴２３の下端側に位置する閉蓋状態のときに、溝状受け部３３の前内側壁と収納溝部３４（突出片部２８）とに当たって、前向き凸のく字状に湾曲し（図７（ａ）参照）、中継ピボット体２２がガイド溝穴２３の上端側に位置する開蓋状態のときに、溝状受け部３３の後内側壁と収納溝部３４（突出片部２８）とに当たって、後向き凸の逆く字状に湾曲するように構成されている（図７（ａ）参照）。
【００５１】
閉蓋状態の前蓋体３を手で引き上げて開き回動させる際は（開き動の初期）、板バネ３２の弾性復原力が中継ピボット体２２を図７（ａ）の反時計方向（矢印ＯＰ方向参照）に押すように作用する。このため、中継ピボット体２２はガイド溝穴２３の上端側に向けてスライド移動しながら、連動回動杆２７と板バネ３２との相互作用にて、図７（ａ）の反時計方向に回動させられることになり、使用者は前蓋体３の初期開放操作を比較的軽い力でスムーズに行える。
【００５２】
また、前蓋体３をストッパー片１９に当接するまで収容回動（落ち込み回動）させる際は（開き動の終期）、中継ピボット体２２が板バネ３２の弾性に抗して図７（ｂ）の反時計方向（矢印ＯＰ方向参照）に回動するから、中継ピボット体２２の回動方向と板バネ３２の弾性復原力方向とが逆向きになって、中継ピボット体２２には、板バネ３２の弾性復原力という抵抗が加わる。
【００５３】
このため、板バネ３２による抵抗が中継ピボット体２２を介して前蓋体３の開き動を阻害する方向に作用することになり、前蓋体３の下向き回動速度は、自重による加速を抑制されて遅くなる。その結果、前蓋体３は、ゆっくりとストッパー片１９に当たって開蓋状態に保持される。従って、開き動の終期において、前蓋体３の急激な落ち込み回動を防止でき、騒音の発生や、前蓋体３及び周囲の枠体２が傷つくおそれを低減できる。
【００５４】
なお、開蓋状態の前蓋体３を手で引き上げて閉じ回動させながら閉蓋状態に移行する場合は、板バネ３２の弾性復原力の作用方向が前述の態様と逆になるだけなので、その詳細な説明を省略する。
【００５５】
（４）．他の実施形態
図８及び図９には、配線カバー装置１における案内支持手段４の別例を示している。こ
こで、第２実施形態以降の実施形態において、構成及び作用が第１実施形態と同じものには同じ符号を付して、その詳細な説明を省略する。なお、図８及び図９では端カバー体１４の図示を省略している。
【００５６】
図８に示す第２実施形態の案内支持手段４は、回動アーム杆２１、中継ピボット体２２、ガイド溝穴２３、及び連動回動杆２７以外に、中継ピボット体２２のガイド溝穴２３に沿ったスライド移動を補完するためのガイド杆３５を備えている。
【００５７】
第２実施形態におけるガイド杆３５の先端部は、中継ピボット体２２に回動可能に連結されており、その回動中心を中継ピボット体２２の軸心Ａ（回動アーム杆２１との連結固定部分の軸心Ａ）に一致させている。ガイド杆３５の基端部は、左側板１１の外面のうちガイド溝穴２３の半径中心に相当する箇所から外向きに突出する枢支軸３６に回動可能に枢着されている。従って、詳細は図示していないが、ガイド杆における先端部の回動中心の移動軌跡は、中継ピボット体２２の軸心Ａの描く移動軌跡と一致することになる。なお、連動回動杆２７の本体部とガイド杆３５の本体部とは左右にずらして配置されており、両者が２７，３５が回動移動時に互いに干渉し合うことはない。
【００５８】
第２実施形態では、付勢部材の取り付け態様が第１実施形態とは異なっている。この場合、左右側板１１における外面の前寄り部位に、前側の中継ピボット体２２に当接可能なＬ字板バネ３７が設けられており、左右側板１１における外面の前後中央部位には、前後のガイド杆３５に当接可能なＵ字板バネ３８が設けられている。そして、左右側板１１における外面の後寄り部位に、後側の中継ピボット体２２に当接可能なＬ字板バネ３９が設けられている。
【００５９】
各Ｌ字板バネ３７，３９とＵ字板バネ３８とは、その役割が分担されている。各Ｌ字板バネ３７，３９は、その弾性復原力にて、各蓋体３における開き動の初期に中継ピボット体２２に移動力を補填し、閉じ動の終期に中継ピボット体２２に抵抗を付与するように設定されている。他方、Ｕ字板バネ３８の前側部分は、その弾性復原力にて、前蓋体３における閉じ動の初期にガイド杆３５に移動力を補填し、開き動の終期にガイド杆３５に抵抗を付与するように設定されている。そして、Ｕ字板バネ３８の後側部分は、その弾性復原力にて、後蓋体３における閉じ動の初期にガイド杆３５に移動力を補填し、開き動の終期にガイド杆３５に抵抗を付与するように設定されている。
【００６０】
このように構成した場合も、第１実施形態と同様に、各蓋体３の初期開放操作を比較的軽い力でスムーズに行えると共に、開き動の終期において、各蓋体３の急激な落ち込み回動を防止でき、騒音の発生や、前蓋体３及び周囲の枠体２が傷つくおそれを低減できる。
【００６１】
図９に示す第３実施形態の案内支持手段４は、板バネ３７〜３９群がないだけで基本的に第２実施形態のものと同様の構成である。但し、前後のガイド杆３５の基端部には、互いに噛み合うギヤ部材４０が設けられている。このようにギヤ部材４０同士を噛み合わせれば、一方の蓋体３の開閉操作に連動して、他方の蓋体３まで自動的に開閉させることが可能になり、前後一対の蓋体３の開閉操作性が向上する。
【００６２】
なお、第１実施形態の案内支持手段４にも、前述のような連動機構を採用することが可能である。この場合は、例えば前後両連動回動杆２７の基端部間の距離に応じて、大径のギヤ部材を設けたり、複数のギヤ部材を組み合わせたりすればよい。
【００６３】
（５）．その他
本願発明は、前述の実施形態に限らず、様々な態様に具体化できる。例えば本願発明は机にも適用可能である。また、前述の実施形態では、配線用開口１０７（枠体２）に対し
て観音開き式の蓋体３を前後一対備えていたが、蓋体３は配線用開口１０７（枠体２）に対して１つであっても構わない。また、天板の配線用開口に、案内支持手段を介して蓋体を直接取り付ける構成にしてもよい。
【００６４】
その他、各部の構成は図示の実施形態に限定されるものではなく、本発明の趣旨を逸脱しない範囲で種々変更が可能である。
【符号の説明】
【００６５】
１  配線カバー装置
２  枠体
３  蓋体
４  案内支持手段
５  配線隙間
６  上開口縁
６ａ  前側縁部分
６ｂ  後側縁部分
１１  左右側板
１９  ストッパー片
２１  案内支持手段を構成する回動アーム杆
２２  支軸部としての中継ピボット体
２３  案内支持手段を構成するガイド溝穴
２７  規制部材としての連動回動杆
３２  付勢部材としての板バネ
１００  テーブル
１０１  天板
１０７  配線用開口